【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
撮像手段から得られる像信号に基づいて焦点状態を検出する焦点検出手段と、
手動操作による焦点調節が行われる際に、前記焦点検出手段により検出された焦点状態を表す指標を表示手段に表示する表示制御手段とを有し、
前記焦点検出手段は、デフォーカス量を検出し、
前記指標は、基準となる位置に対して、前記デフォーカス量に応じた移動量だけ移動するように表示され、
前記表示制御手段は、前記焦点検出手段により検出されたデフォーカス量と撮影状態の少なくともいずれかに応じて、前記指標の単位移動量に相当するデフォーカス量を変更することを特徴とする表示制御装置。
【請求項２】
前記表示制御手段は、前記焦点検出手段により検出されたデフォーカス量が第１の値の場合に、当該第１の値より小さい第２の値の場合と比較して、前記指標の単位移動量に相当するデフォーカス量が大きくなるように制御することを特徴とする請求項１に記載の表示制御装置。
【請求項３】
前記撮影状態は絞りの状態を含み、前記表示制御手段は、第１の絞り値の場合に、当該第１の絞り値よりも開放側の第２の絞り値の場合と比較して、前記指標の単位移動量に相当するデフォーカス量が大きくなるように制御することを特徴とする請求項１または２に記載の表示制御装置。
【請求項４】
前記表示制御手段は、前記焦点検出手段により検出されたデフォーカス量が所定範囲内の場合に、前記指標が当該デフォーカス量に応じた移動量だけ移動するように表示を制御し、
前記第１の絞り値の場合に、前記第２の絞り値の場合と比較して、前記所定範囲が広く設定されることを特徴とする請求項３に記載の表示制御装置。
【請求項５】
前記撮影状態は照度の状態を含み、第１の照度の場合に、当該第１の照度より明るい第２の照度の場合と比較して、前記指標の単位移動量に相当するデフォーカス量が大きくなるように制御することを特徴とする請求項１乃至４のいずれか１項に記載の表示制御装置。
【請求項６】
前記撮影状態は焦点距離の状態を含み、前記表示制御手段は、第１の焦点距離の場合に、当該第１の焦点距離よりもワイド側の第２の焦点距離の場合と比較して、前記指標の単位移動量に相当するデフォーカス量が大きくなるように制御することを特徴とする請求項１または５に記載の表示制御装置。
【請求項７】
前記表示制御手段は、前記焦点検出手段により検出されたデフォーカス量が所定範囲内の場合に、前記指標が当該デフォーカス量に応じた移動量だけ移動するように表示を制御し、
前記第１の焦点距離の場合に、前記第２の焦点距離の場合と比較して、前記所定範囲が広く設定されることを特徴とする請求項６に記載の表示制御装置。
【請求項８】
前記指標の単位移動量に相当するデフォーカス量は、焦点深度に基づいて決定されることを特徴とする請求項１乃至７のいずれか１項に記載の表示制御装置。
【請求項９】
前記所定範囲は、焦点深度に基づいて決定されることを特徴とする請求項４または７に記載の表示制御装置。
【請求項１０】
前記表示制御手段は、複数回の検出により得られたデフォーカス量の平均値を算出し、所定数の前記デフォーカス量の平均値に基づいて、前記指標の単位移動量に相当するデフォーカス量を決定することを特徴とする請求項１乃至９のいずれか１項に記載の表示制御装置。
【請求項１１】
前記焦点検出手段により検出されたデフォーカス量、絞りの状態、照度の状態の少なくともいずれかに応じて、前記表示制御手段は、前記所定数を変更することを特徴とする請求項１０に記載の表示制御装置。
【請求項１２】
前記デフォーカス量が所定値より大きい場合、絞りが所定の絞り値より小絞り側である場合、照度が所定の照度より低照度である場合の少なくともいずれかが満たされることに応じて、前記表示制御手段は、前記所定数を大きくすることを特徴とする請求項１１に記載の表示制御装置。
【請求項１３】
前記表示制御手段は、前記基準となる位置に対する前記指標の移動量を複数回算出し、所定数の前記移動量の平均値に基づいて、前記指標を表示させる位置を決定することを特徴とする請求項１乃至９のいずれか１項に記載の表示制御装置。
【請求項１４】
前記焦点検出手段により検出されたデフォーカス量、絞りの状態、照度の状態の少なくともいずれかに応じて、前記表示制御手段は、前記所定数を変更することを特徴とする請求項１３に記載の表示制御装置。
【請求項１５】
前記デフォーカス量が所定値より大きい場合、絞りが所定の絞り値より小絞り側である場合、照度が所定の照度より低照度である場合の少なくともいずれかが満たされることに応じて、前記表示制御手段は、前記所定数を大きくすることを特徴とする請求項１４に記載の表示制御装置。
【請求項１６】
レンズ情報を取得する取得手段を更に有し、
前記表示制御手段は、前記レンズ情報に基づいて、前記指標の単位移動量に相当するデフォーカス量を変更することを特徴とする請求項１乃至１５のいずれか１項に記載の表示制御装置。
【請求項１７】
前記表示制御手段は、レンズ種別に対応した前記指標の最大移動量を予め保持し、
前記レンズ情報は、前記レンズ種別を含むことを特徴とする請求項１６に記載の表示制御装置。
【請求項１８】
前記レンズ情報は、フォーカスレンズを手動操作する部材の最大操作範囲を含むことを特徴とする請求項１６に記載の表示制御装置。
【請求項１９】
前記焦点検出手段により検出されたデフォーカス量に基づいて、合焦と判断する合焦デフォーカス範囲を設定する設定手段を有し、前記設定手段は、焦点距離に応じて前記合焦デフォーカス範囲を変更することを特徴とする請求項１乃至１８のいずれか１項に記載の表示制御装置。
【請求項２０】
前記設定手段は、第３の焦点距離の場合に、当該第３の焦点距離よりもワイド側の第４の焦点距離の場合と比較して、前記合焦デフォーカス範囲を大きくすることを特徴とする請求項１９に記載の表示制御装置。
【請求項２１】
前記設定手段は、さらに焦点深度に基づいて前記合焦デフォーカス範囲を変更することを特徴とする請求項１９または２０に記載の表示制御装置。
【請求項２２】
１つのマイクロレンズに対して複数の光電変換部を備えた画素を複数有し、撮像光学系を介して入射する光束を前記複数の光電変換部で受光して一対の像信号を出力する撮像手段と、
請求項１乃至２１のいずれか１項に記載の表示制御装置とを含み、
前記焦点検出手段は、前記一対の像信号に基づいて、位相差方式の焦点検出を行って前記焦点状態を検出することを特徴とする撮像装置。
【請求項２３】
撮像手段から得られる像信号に基づいて、デフォーカス量を検出する焦点検出工程と、
手動操作による焦点調節が行われる際に、前記焦点検出工程で検出された焦点状態を表す指標を表示手段に表示する表示制御工程とを有し、
前記指標は、基準となる位置に対して、前記デフォーカス量に応じた移動量だけ移動するように表示され、
前記表示制御工程では、前記焦点検出工程で検出されたデフォーカス量と撮影状態の少なくともいずれかに応じて、前記指標の単位移動量に相当するデフォーカス量を変更することを特徴とする表示制御方法。
【請求項２４】
請求項２３に記載の表示制御方法をコンピュータに実行させるためのプログラム。
【請求項２５】
請求項２４に記載のプログラムを格納したコンピュータが読み取り可能な記憶媒体。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
上記目的を達成するために、本発明の表示制御装置は、撮像手段から得られる像信号に基づいて焦点状態を検出する焦点検出手段と、手動操作による焦点調節が行われる際に、前記焦点検出手段により検出された焦点状態を表す指標を表示手段に表示する表示制御手段とを有し、前記焦点検出手段は、デフォーカス量を検出し、前記指標は、基準となる位置に対して、前記デフォーカス量に応じた移動量だけ移動するように表示され、前記表示制御手段は、前記焦点検出手段により検出されたデフォーカス量と撮影状態の少なくともいずれかに応じて、前記指標の単位移動量に相当するデフォーカス量を変更することを特徴とする。
【手続補正４】
【補正対象書類名】明細書
【補正対象項目名】００１５
【補正方法】変更
【補正の内容】
【００１５】
【図１】本発明の実施形態における撮像システムの概略構成を示すブロック図。
【図２】実施形態における撮像素子の画素配列の概略図。
【図３】第１の実施形態におけるフォーカスアシスト表示の一例を示す図。
【図４】第１の実施形態におけるフォーカスアシスト表示制御のメインフローを示すフローチャート。
【図５】第１の実施形態における焦点検出処理を示すフローチャート。
【図６】第１の実施形態における焦点検出領域及び焦点検出領域から得られる像信号の一例を示す図。
【図７】第１の実施形態における相関演算方法を説明する図。
【図８】第１の実施形態における相関演算方法を説明する図。
【図９】第１の実施形態におけるデフォーカス量とフォーカスアシスト表示における指標の表示位置との関係を示す図。
【図１０】第２の実施形態におけるフォーカスリング操作とフォーカスアシスト表示の指標との関係を示す図。
【図１１】第２の実施形態におけるデフォーカス量から指標位置への変換量設定処理を示すフローチャート及びテーブル。
【図１２】撮像面位相差検出方式において得られる像信号の一例を示す図。
【手続補正５】
【補正対象書類名】明細書
【補正対象項目名】００５２
【補正方法】変更
【補正の内容】
【００５２】
また、図７（ｂ）のように複数のゼロクロスが存在する場合は、ゼロクロスでの相関量変化の急峻性ｍａｘｄｅｒが大きいところを第１のゼロクロスとする。この急峻性は合焦位置の特定のし易さを示す指標で、値が大きいほど合焦位置を特定し易い点であることを示す。急峻性ｍａｘｄｅｒは以下の式（５）によって算出することができる。
ｍａｘｄｅｒ＝｜ΔＣＯＲ［ｋ−１］｜＋｜ΔＣＯＲ［ｋ］｜      …（５）